(57)【要約】【課題】  携帯端末装置の位置を把握する。【解決手段】  情報処理装置２ａは、携帯端末装置との接続開始と接続解除接続状態を携帯端末位置管理装置１に通知する。携帯端末位置管理装置１では、通知を取得すると、端末位置情報生成手段１２が、情報処理装置２ａと、情報処理装置２ａとの間で近傍無線通信により接続する携帯端末装置６ａとを対応付けた端末位置情報を生成し、端末位置情報記憶手段１１ｂに格納する。端末位置検出手段１３は、要求された携帯端末装置に関する端末位置情報を検索し、要求された携帯端末装置に対応する情報処理装置を特定し、その位置情報により、携帯端末装置の位置を検出する。【選択図】  図１
2006303684.tif 000002
【特許請求の範囲】
【請求項１】
ネットワークを介して分散配置される情報処理装置と近傍無線通信を介して接続する携帯端末装置の位置を管理する携帯端末位置管理システムにおいて、
前記携帯端末装置との間で接続を開始または解除して接続状態を変化させた場合に、前記携帯端末装置に関する接続状態が変化したことを通知する接続状態通知手段を具備する情報処理装置と、
前記情報処理装置が配置される位置に関する位置情報を記憶する位置情報記憶手段と、前記情報処理装置から前記携帯端末装置に関する接続状態の変化通知を取得すると、前記情報処理装置と前記情報処理装置との間で前記近傍無線通信を介して接続する前記携帯端末装置を対応付けた端末位置情報を生成する端末位置情報生成手段と、前記端末位置情報を記憶する端末位置情報記憶手段と、前記端末位置情報に基づき要求された前記携帯端末装置と接続する前記情報処理装置を検索し、検索された前記情報処理装置の前記位置情報に基づき前記携帯端末装置の位置を検出する端末位置検出手段と、を具備する携帯端末位置管理装置と、
を有することを特徴とする携帯端末位置管理システム。
【請求項２】
前記携帯端末位置管理装置の前記端末位置情報生成手段は、
前記情報処理装置から前記携帯端末装置との接続開始の通知を取得すると、前記情報処理装置と前記携帯端末装置とを対応付けて前記端末位置情報に登録し、前記情報処理装置から前記携帯端末装置との接続解除の通知を取得すると、前記端末位置情報に登録された前記情報処理装置と前記携帯端末装置との対応付けを削除する、
ことを特徴とする請求項１記載の携帯端末位置管理システム。
【請求項３】
前記携帯端末位置管理装置の前記端末位置検出手段は、さらに、
前記位置情報に基づき、要求された任意の地点に存在する前記情報処理装置を検索し、検索された前記情報処理装置に接続する前記携帯端末装置を前記端末位置情報より検出する、
ことを特徴とする請求項１記載の携帯端末位置管理システム。
【請求項４】
前記携帯端末位置管理装置は、さらに、
前記携帯端末装置ごとに前記携帯端末装置と前記近傍無線通信によって接続を行った前記情報処理装置に関する端末位置履歴を記憶する端末位置履歴記憶手段と、
前記端末位置履歴と前記位置情報に基づき、前記携帯端末装置が移動してきた位置を追跡する位置追跡手段と、
を具備することを特徴とする請求項１記載の携帯端末位置管理システム。
【請求項５】
ネットワークを介して分散配置される情報処理装置と近傍無線通信を介して接続する携帯端末装置を有する通信ネットワークシステム上における前記携帯端末装置の位置を管理する携帯端末位置管理装置において、
前記情報処理装置が配置される位置に関する位置情報を記憶する位置情報記憶手段と、
前記情報処理装置から前記携帯端末装置との間で接続を開始または解除したことを通知されると、通知に応じて前記情報処理装置と前記情報処理装置との間で前記近傍無線通信を介して接続する前記携帯端末装置を対応付けた端末位置情報を生成する端末位置情報生成手段と、
前記端末位置情報を記憶する端末位置情報記憶手段と、
前記端末位置情報に基づき要求された前記携帯端末装置と接続する前記情報処理装置を検索し、検索された前記情報処理装置の前記位置情報に基づき前記携帯端末装置の位置を検出する端末位置検出手段と、
を具備することを特徴とする携帯端末位置管理装置。
【発明の詳細な説明】
【技術分野】
【０００１】
本発明は携帯端末位置管理システム及び携帯端末位置管理装置に関し、特にネットワークを介して分散配置される情報処理装置と近傍無線通信を介して接続する携帯端末装置の位置を管理する携帯端末位置管理システム及び携帯端末位置管理装置に関する。
【背景技術】
【０００２】
従来、有線または無線の通信ネットワークによって複数の情報処理装置が接続される通信ネットワークシステムにおいて、各地点に分散配置される情報処理装置または通信インタフェースと無線通信で接続してシステムにログインし、この通信ネットワーク上の情報資源へアクセスする携帯端末装置を備えたシステムがある。このような携帯端末装置を備えた通信ネットワークシステムでは、利用者が居場所を限定されず、任意の地点からシステムを利用できるという利点がある。逆に、利用者の位置を把握することは難しい。
【０００３】
利用者の位置を特定するための手法として、個々の携帯端末装置の位置情報をＧＰＳ衛星より取得し、この位置情報に基づき携帯端末装置の位置を特定するとともに、情報ネットワーク上における情報資源へのアクセスの可否を制御する情報ネットワークシステムの制御方法が提案されている（たとえば、特許文献１参照）。
【特許文献１】特開２００４−４６６６６号公報（段落番号〔００３５〕〜〔００４８〕、図６）
【発明の開示】
【発明が解決しようとする課題】
【０００４】
携帯端末装置を用いた通信ネットワークシステムでは、携帯端末装置の位置、すなわち、携帯端末装置を保有する利用者の所在を知りたいという要求がある。携帯端末装置の位置を把握することができれば、ある任意の地点にいる利用者を特定したり、逆にある任意の利用者の所在を特定することができる。
【０００５】
しかしながら、従来の通信ネットワークシステムにおいて携帯端末装置の位置を特定する場合には、ＧＰＳ機能や無線通信の電波状況の測定機能など、携帯端末装置に位置測定のための追加回路とその制御手段とが必要であった。この場合、追加回路により携帯端末装置が大型化し、価格が高くなってしまうという問題点が生じる。また、ＧＰＳ衛星から取得した位置情報の解析処理などによって、携帯端末装置のプロセッサの処理負担が増すという問題点もある。
【０００６】
通常、携帯端末装置の位置を知りたいという場合には、正確な位置情報（緯度、経度情報や、通信先の基地局からの距離など）はあまり必要ではなく、おおよその位置が把握されれば十分である。
【０００７】
本発明はこのような点に鑑みてなされたものであり、携帯端末装置に位置確認のための機構を新たに設けることなく、携帯端末装置の位置を把握することが可能な携帯端末位置管理システム及び携帯端末位置管理装置を提供することを目的とする。
【課題を解決するための手段】
【０００８】
本発明では上記課題を解決するために、ネットワークを介して分散配置される情報処理装置と近傍無線通信を介して接続する携帯端末装置の位置を管理する位置管理システムが提供される。この位置管理システムは、携帯端末装置との間で近傍無線通信を介して接続する情報処理装置と、この情報処理装置とネットワークを介して接続する携帯端末位置管理装置を有する。
【０００９】
情報処理装置は携帯端末装置との間で接続を開始または解除して接続状態を変化させた場合に、携帯端末装置に関する接続状態が変化したことを通知する接続状態通知手段を具備する。携帯端末位置管理装置は、端末位置情報生成手段、端末位置検出手段、位置情報記憶手段及び端末位置情報記憶手段を具備する。位置情報記憶手段は、端末位置情報生成手段の参照する位置情報を記憶し、端末位置情報記憶手段は、端末位置情報生成手段の生成した端末位置情報を記憶する。端末位置情報生成手段は、情報処理装置から、その情報処理装置と近傍無線通信を介して接続要求を行った携帯端末装置に関する接続状態の変化通知を取得すると、情報処理装置と、この情報処理装置との間で近傍無線通信により接続する携帯端末装置とを対応付けた端末位置情報を生成する。端末位置検出手段は、端末位置情報に基づき、要求された携帯端末装置に対応する情報処理装置を検索し、位置情報に基づいて該情報処理装置の位置を特定することによって、携帯端末装置の位置を検出する。
【００１０】
このような携帯端末位置管理システムによれば、各地点に分散配置される情報処理装置の位置は、位置情報として携帯端末位置管理装置の位置情報記憶手段に記憶される。携帯端末装置は、システム資源利用時に、任意の情報処理装置に接続要求を行う。情報処理装置の接続状態通知手段は、携帯端末装置からの要求に応じて接続を開始した場合には接続開始、接続が解除された場合には接続解除というように、接続状態が変化した場合にこれを携帯端末位置管理装置に通知する。携帯端末位置管理装置では、接続状態の変化通知を取得すると、端末位置情報生成手段が、情報処理装置と、この情報処理装置との間で近傍無線通信により接続する携帯端末装置とを対応付けた端末位置情報を生成する。生成された端末位置情報は、携帯端末装置が対応付けられた情報処理装置の近傍に在ることを示す。この端末位置情報は、端末位置情報記憶手段に格納される。そして、端末位置検出手段は、要求された携帯端末装置に関する端末位置情報を検索し、要求された携帯端末装置に対応する情報処理装置を特定し、その位置情報により、携帯端末装置の位置を検出する。
【００１１】
また、上記課題を解決するために、ネットワークを介して分散配置される情報処理装置と近傍無線通信を介して接続する携帯端末装置を有する通信ネットワークシステム上における前記携帯端末装置の位置を管理する携帯端末位置管理装置において、前記情報処理装置が配置される位置に関する位置情報を記憶する位置情報記憶手段と、前記情報処理装置から前記携帯端末装置との間で接続を開始または解除したことを通知されると、通知に応じて前記情報処理装置と前記情報処理装置との間で前記近傍無線通信を介して接続する前記携帯端末装置を対応付けた端末位置情報を生成する端末位置情報生成手段と、前記端末位置情報を記憶する端末位置情報記憶手段と、前記端末位置情報に基づき要求された前記携帯端末装置と接続する前記情報処理装置を検索し、検索された前記情報処理装置の前記位置情報に基づき前記携帯端末装置の位置を検出する端末位置検出手段と、を具備することを特徴とする携帯端末位置管理装置、が提供される。
【００１２】
このような携帯端末位置管理装置では、位置情報によって設置位置が特定される情報処理装置から、情報処理装置と携帯端末装置との間の接続が開始または解除されたことが通知されると、端末位置情報生成手段は、通知に基づき、情報処理装置と携帯端末装置とを対応付けた端末位置情報を生成し、端末位置情報記憶手段に格納する。接続が解除された場合、端末位置情報の該当する対応付けは削除される。端末位置検出手段は、端末位置情報及び情報処理装置の位置情報に基づき、携帯端末装置の位置を検出する。
【発明の効果】
【００１３】
本発明では、任意の地点に固定的に配置される情報処理装置と、この情報処理装置と近傍無線通信により接続した携帯端末装置を対応づけた端末位置情報を生成する。そして、要求された携帯端末装置に対応する情報処理装置の位置情報に基づき、携帯端末装置がどこにあるかを検出する。これにより、大規模な位置検出回路など位置確認のための新たな機構を追加することなく、携帯端末装置の位置を把握することが可能となる。
【発明を実施するための最良の形態】
【００１４】
以下、本発明の実施の形態を図面を参照して説明する。まず、実施の形態に適用される発明の概念について説明し、その後、実施の形態の具体的な内容を説明する。
図１は、実施の形態に適用される発明の概念図である。
【００１５】
本発明に係る携帯端末位置管理システムは、ネットワークを介して分散配置される情報処理装置と、この情報処理装置と近傍無線通信を介して接続することによって情報処理装置を介してシステム資源を利用することが可能な携帯端末装置を有する通信ネットワークシステムに適用される。
【００１６】
本発明に係る携帯端末位置管理システムは、携帯端末位置管理装置１と、情報処理装置２ａ、２ｂ・・・と、携帯端末装置６ａ、６ｂ、・・・を有する。携帯端末位置管理装置１と、情報処理装置２ａ、２ｂ、・・・間は、有線または無線の通信ネットワークによって接続される。また、情報処理装置２ａ、２ｂ、・・・と携帯端末装置６ａ、６ｂ、・・・間は、近傍無線通信によって接続される。近傍無線通信は、狭い距離で近接する装置間で行われる通信であり、たとえば、Ｆｅｌｉｃａ（登録商標）やＮＦＣ（Near Field Communication）、Ｂｌｕｅｔｏｏｔｈなどを用いる。これらは、装置間の間隔が１０ｃｍ程度の近傍範囲内で通信を実現する。すなわち、このような近傍無線通信によって接続されているということは、通信相手の携帯端末装置が情報処理装置の近くに在ることを示す。
【００１７】
各装置について順に説明する。
携帯端末位置管理装置１は、位置情報記憶手段１１ａ、端末位置情報記憶手段１１ｂ及び端末位置履歴記憶手段１１ｃの各記憶手段と、端末位置情報生成手段１２、端末位置検出手段１３及び位置追跡手段１４の各処理制御手段を具備する。各記憶手段は、携帯端末位置管理装置１に設けられたメモリなどの記憶装置上に構築される。また、各処理制御手段は、たとえば、処理手順をプログラムに記述し、コンピュータでプログラムを実行させることにより実現する。
【００１８】
位置情報記憶手段１１ａは、各地点に分散配置される情報処理装置２ａ、２ｂ、・・・の位置に関する位置情報を記憶する。位置情報は、システムに要求される携帯端末装置６ａ、６ｂ、・・・の位置特定のレベルに応じて決まる。一般的に、携帯端末装置６ａ、６ｂ、・・・の位置を知りたい場合は、情報処理装置２ａ、２ｂ、・・・が配置された部屋の名称や、建屋名とその階数と区画、などが特定されれば十分である。この場合、位置情報として、たとえば、情報処理装置が配置される部屋名などが、情報処理装置に関連付けて登録される。
【００１９】
端末位置情報記憶手段１１ｂは、現時点における携帯端末装置６ａ、６ｂ、・・・に接続する情報処理装置２ａ、２ｂ、・・・、対応付けて登録される。たとえば、情報処理装置２ａ、２ｂ、・・・ごとに現時点で接続している携帯端末装置６ａ、６ｂ、・・・が登録される。接続が解除されると該当する対応付けの登録は削除される。すなわち、端末位置情報により、現時点で接続状態にある携帯端末装置と情報処理装置の関係がわかる。
【００２０】
端末位置履歴記憶手段１１ｃは、携帯端末装置６ａ、６ｂ、・・が、接続した情報端末装置の履歴が記憶される。たとえば、携帯端末装置６ａ、６ｂ、・・・ごとに、接続した情報端末装置名、接続開始時刻及び接続解除時刻などの情報が設定される。
【００２１】
端末位置情報生成手段１２は、情報処理装置２ａ、２ｂ、・・・から、携帯端末装置６ａ、６ｂ、・・・との接続を開始したという接続状態の変化の通知を受けると、通知元の情報処理装置と、通知に含まれるこの情報処理装置の接続相手の携帯端末装置とを対応付け、端末位置情報を生成し、端末位置情報記憶手段１１ｂに格納する。たとえば、携帯端末装置６ａと情報処理装置２ａとの間の接続開始が通知された場合、情報処理装置２ａと携帯端末装置６ａを対応付け、情報処理装置２ａに関する端末位置情報を生成する。一方、情報処理装置２ａ、２ｂ、・・・から、携帯端末装置６ａ、６ｂ、・・・との接続を解除したという接続状態の変化の通知を受けると、通知元の情報処理装置と、通知に含まれるこの情報処理装置の接続相手の携帯端末装置とを対応付けた対応情報を端末位置情報記憶手段１１ｂから検索し、検索された対応情報を削除して端末位置情報を更新する。たとえば、携帯端末装置６ａと情報処理装置２ａとの間の接続解除が通知された場合、情報処理装置２ａについて登録されている携帯端末装置６ａとの対応情報を削除する。
【００２２】
端末位置検出手段１３は、携帯端末装置の位置検出要求を受けると、要求された携帯端末装置に対応する情報処理装置を端末位置情報記憶手段１１ｂに格納される端末位置情報を検索して特定する。そして、特定された情報処理装置、すなわち、要求された携帯端末装置に接続する情報処理装置に関する位置情報を、位置情報記憶手段１１ａを検索して抽出する。抽出された位置情報を携帯端末装置の位置情報として出力する。また、逆に、ある地点に存在する携帯端末装置を検索する場合には、要求された地点に対応する位置に存在する情報処理装置を位置情報に基づき検索する。そして、検索された情報処理装置に基づき端末位置情報を検索して、この情報処理装置に接続する携帯端末装置を特定する。
【００２３】
位置追跡手段１４は、要求された携帯端末装置がこれまでに接続した情報処理装置に関する端末位置履歴を端末位置履歴記憶手段１１ｃから抽出する。そして、抽出された情報処理装置の位置を位置情報より導き出し、携帯端末装置の位置の追跡結果として出力する。
【００２４】
情報処理装置２ａは、無線通信手段３ａと接続状態通知手段４ａを具備する。同様に、情報処理装置２ｂは、無線通信手段３ｂと接続状態通知手段４ｂを具備する。以下、情報処理装置２ａの場合で説明する。
【００２５】
無線通信手段３ａは、携帯端末装置６ａ、６ｂとの間の近傍無線通信を制御する。なお、情報処理装置２ａは、複数の携帯端末装置と接続し、通信を行うことができる。
接続状態通知手段４ａは、無線通信手段３ａを介して入力される携帯端末装置との接続状態の変化（接続開始／接続解除）を携帯端末位置管理装置１に通知する。すなわち、無線通信手段３ａを介して携帯端末装置との接続が開始されたことを取得すると、接続を開始した携帯端末装置の識別情報とともに接続開始の通知を携帯端末位置管理装置１に送信する。また、携帯端末装置が離れるなどして、接続が解除されたことを無線通信手段３ａより取得すると、この携帯端末装置の識別情報と接続解除の通知を携帯端末位置管理装置１に送信する。
【００２６】
携帯端末装置６ａ、６ｂは、通信ネットワークシステムの利用者が携帯する。利用者は、必要に応じて近傍にある情報処理装置２ａ、２ｂ、・・・へ近傍無線通信を介して接続し、システム資源を利用する。なお、携帯端末装置６ａ、６ｂは、同時に複数の情報処理装置に接続することはできない。
【００２７】
このような携帯端末位置管理装置１の動作について説明する。
たとえば、携帯端末装置６ａが情報処理装置２ａに近傍無線通信による接続要求を行うと、接続要求が無線通信手段３ａ経由で情報処理装置２ａに入力し、必要に応じて認証された後、接続が開始される。接続が開始されたことは、接続状態通知手段４ａに伝達される。接続状態通知手段４ａは、携帯端末装置６ａと接続が開始されたことを、携帯端末装置６ａの識別情報とともに携帯端末位置管理装置１に通知する。携帯端末位置管理装置１では、端末位置情報生成手段１２が通知を取得すると、通知に基づき、情報処理装置２ａと携帯端末装置６ａを対応付けた対応情報を生成し、端末位置情報に追加し、端末位置情報記憶手段１１ｂに格納する。同様に、携帯端末装置６ｂが情報処理装置２ａと接続を開始したことが通知されると、端末位置情報に情報処理装置２ａと携帯端末装置６ｂとの対応情報が追記される。
【００２８】
また、携帯端末装置６ａが情報処理装置２ａから離れるなどにより、近傍無線通信による接続が解除されると、無線通信手段３ａがこれを検出し、接続状態通知手段４ａに伝達する。接続状態通知手段４ａは、携帯端末装置６ａとの接続が解除されたことを、携帯端末装置６ａの識別情報とともに携帯端末位置管理装置１に通知する。
【００２９】
携帯端末位置管理装置１では、端末位置情報生成手段１２が通知を取得すると、通知に基づき、情報処理装置２ａと携帯端末装置６ａを対応付けた対応情報を端末位置情報記憶手段１１ｂに格納された端末位置情報から検索し、検索された対応情報を削除する。同様に、携帯端末装置６ｂが情報処理装置２ａと接続が解除されたことが通知されると、端末位置情報の情報処理装置２ａと携帯端末装置６ｂとの対応情報を削除する。
【００３０】
また、端末位置情報生成手段１２は、生成した情報処理装置と携帯端末装置の対応情報を履歴情報として残しておく。生成した対応情報に、接続が開始された時刻や解除された時刻などを付加し、端末位置履歴として端末位置履歴記憶手段１１ｃに格納する。
【００３１】
以上の処理手順により、端末位置情報記憶手段１１ｂには、現時点で接続が保持されている情報処理装置と携帯端末装置が対応付けられて記憶されている。また、端末位置履歴記憶手段１１ｃには、生成された対応情報が接続開始時刻と接続解除時刻とともに端末位置履歴として記憶されている。
【００３２】
そして、携帯端末位置管理装置１に携帯端末装置の位置検出要求が入力されると、端末位置検出手段１３が、端末位置情報に基づき要求携帯端末装置が接続する情報処理装置を検出する。そして、位置情報記憶手段１１ａを検索して、検出された情報処理装置の位置情報を取得する。携帯端末装置はこの情報処理装置の近傍に在ることが保証でき、得られた位置情報は携帯端末装置の位置情報と見なすことができる。こうして得られた位置情報を要求先に返す。
【００３３】
また、携帯端末位置管理装置１に特定の位置にある携帯端末装置を検索する指示がされる場合もある。この場合、端末位置検出手段１３は、位置情報に基づき、指定位置にある情報処理装置を検索する。そして、端末位置情報に基づき、この情報処理装置に接続する携帯端末装置を抽出し、得られた携帯端末装置の識別情報を要求先に返す。
【００３４】
さらに、携帯端末位置管理装置１に、任意の携帯端末装置の移動の軌跡が要求された場合には、位置追跡手段１４が、端末位置履歴記憶手段１１ｃに格納される端末位置履歴情報から該当する携帯端末装置が接続した情報処理装置を特定し、上記と同様の手順でそれぞれの情報処理装置の位置を検出し、携帯端末装置の移動の軌跡とする。
【００３５】
以上のように、携帯端末装置と情報処理装置との接続関係から携帯端末装置の位置を把握することができる。
以下、実施の形態を、テレビ会議システムに適用した場合を例に図面を参照して詳細に説明する。図２は、本発明の実施の形態のテレビ会議システムの構成図である。
【００３６】
実施の形態のテレビ会議システムは、会議端末２１、３１と、携帯端末（以下、コントローラとする）２６、３６と、ファイル端末であるＰＣ２２、３２とが、ＩＰネットワーク回線（以下、ＩＰネットワークとする）４０を介して会議管理装置である管理サーバ１０と接続する。なお、会議端末２１とＰＣ２２は、会議室Ａ（２０）に、会議端末３１とＰＣ３２は会議室Ｂ（３０）に分散配置される。なお、情報処理装置は、会議端末２１、３１及びＰＣ２２、３２が該当し、携帯端末位置管理装置の機能は、管理サーバによって実現される。
【００３７】
ここで、会議端末２１、３１に接続する拡張ＢＯＸ２４、３４は、会議端末２１、３１とコントローラ２６、３６との間の近傍通信を制御し、会議端末２１、３１の動作を制御する装置である。同様に、ＰＣ２２、３２に接続する拡張ＢＯＸ２５、３５は、ＰＣ２２、３２とコントローラ２６、３６との間の近傍通信を制御し、ＰＣ２２、３２の動作を制御する装置である。なお、拡張ＢＯＸ２４、２５、３４、３５と、会議端末２１、３１やＰＣ２２、３２などの機器は、一体型で形成されるとしてもよい。
【００３８】
また、無線ＬＡＮＡＰ２３、３３は、コントローラ２６、３６を、ＩＰネットワーク４０を介して直接通信させるための装置である。
こうして、コントローラ２６、３６は、拡張ＢＯＸ２４、３４を介して会議端末２１、３１と接続し、拡張ＢＯＸ２５、３５を介してＰＣ２２、３２と接続する。また、無線ＬＡＮＡＰ２３、３３により、ＩＰネットワーク４０経由で管理サーバ１０、もしくは会議端末２１、３１及びＰＣ２２、３２と接続することができる。
【００３９】
ここで、管理サーバ１０のハードウェア構成について説明する。図３は、本実施の形態の管理サーバのハードウェア構成例を示すブロック図である。
管理サーバ１０は、ＣＰＵ（Central Processing Unit）１０１によって装置全体が制御されている。ＣＰＵ１０１には、バス１０７を介してＲＡＭ（Random Access Memory）１０２、ハードディスクドライブ（ＨＤＤ：Hard Disk Drive）１０３、グラフィック処理装置１０４、入力インタフェース１０５、通信インタフェース１０６が接続されている。
【００４０】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションのプログラムが格納される。グラフィック処理装置１０４には、モニタ１０８が接続されており、ＣＰＵ１０１からの命令に従って画像をモニタ１０８の画面に表示させる。入力インタフェース１０５には、キーボード１０９ａやマウス１０９ｂが接続されており、キーボード１０９ａやマウス１０９ｂから送られてくる信号を、バス１０７を介してＣＰＵ１０１に送信する。通信インタフェース１０６は、ＩＰネットワーク４０に接続されており、ＩＰネットワーク４０を介して端末装置との間でデータの送受信を行う。なお、モニタ１０８、キーボード１０９ａ及びマウス１０９ｂは直接管理サーバ１０に接続せずに、通信インタフェース１０６を介して接続する場合もある。
【００４１】
このようなハードウェア構成によって、本実施の形態の処理機能を実現することができる。なお、図３には、サーバのハードウェア構成を示したが、近傍通信機能を除く携帯端末装置のハードウェア構成も同様である。また、会議端末装置も近傍通信機能と会議処理機能（撮像部、マイク部、音声合成部など）を除き、同様のハードウェア構成をとる。
【００４２】
このように、本発明の実施の形態の各装置は、上記の構成のようなハードウェア構成をとり、ＣＰＵがプログラムを実行することによりその処理機能を実現する。
次に、このような会議システムのコントローラ位置管理動作について説明する。図４は、本実施の形態のコントローラ位置管理動作の概要を示した図である。図２と同じものには同じ番号を付し、説明は省略する。
【００４３】
なお、図でアプライアンスは、会議端末やＰＣの総称で、コントローラと近傍通信する機能と、ＩＰネットワーク４０を介して管理サーバ１０に接続して情報交換を行うことができる装置を指す。
【００４４】
それぞれ離れた地点に在る会議室Ａ、会議室Ｂ及び会議室Ｃには、それぞれＩＰネットワーク４０を介して管理サーバ１０に接続するアプライアンス１（１７）、アプライアンス２（２７）及びアプライアンス３（３７）が固定に設置されている。
【００４５】
管理サーバ１０には、アプライアンスに関する位置情報として、アプライアンス１（１７）、アプライアンス２（２７）及びアプライアンス３（３７）の位置情報が管理者などによって静的に入力されている。図の例では、アプライアンス１（１７）は「会議室Ａ」、アプライアンス２（２７）は「会議室Ｂ」及びアプライアンス３（３７）は「会議室Ｃ」の位置情報が設定されている。
【００４６】
コントローラ１６を持った利用者が会議室Ｃに入室し、アプライアンス３（３７）を介して会議を行ったり、ファイルを閲覧したりなど、システム資源を利用しようとした場合、コントローラ１６は、アプライアンス３（３７）に対して認証を要求する。アプライアンス３（３７）は、コントローラ１６を認証すると、接続を許可するとともに、接続が開始された通知を管理サーバ１０に行う。これにより、管理サーバ１０には、コントローラ１６がアプライアンス３（３７）と接続されているという端末位置情報が生成され、格納される。コントローラ１６を持った利用者が、会議室Ｃを出ると、アプライアンス３（３７）とコントローラ１６の通信は不可能となり、接続解除が管理サーバ１０に通知される。そして、通知により、端末位置情報の対応情報が削除される。
【００４７】
上記の一連の処理が、コントローラとアプライアンスとの間で行われることにより、管理サーバ１０には、各コントローラに関する端末位置情報が保持される。なお、各アプライアンスは、複数のコントローラを認証することができるが、各コントローラは、同時に複数台のアプライアンスと接続することはできないとする。
【００４８】
こうして生成された端末位置情報に基づき、携帯端末装置が接続するアプライアンスを検索し、その位置情報から携帯端末装置の位置を検出する。
ここで、端末位置情報について説明する。図５は、本実施の形態の端末位置情報の一例を示した図である。図では、わかりやすくするため、端末位置情報に位置情報を付加している。
【００４９】
端末位置情報は、アプライアンス名フィールド３０１、設置場所フィールド３０２及び認証中コントローラフィールド３０３から構成される。なお、設置場所フィールド３０２は、位置情報に基づく情報であり、アプライアンス名に基づき位置情報から検索可能であるので、必須ではない。
【００５０】
アプライアンス名フィールド３０１は、各アプライアンスを識別する名称が設定される。また、設置場所フィールド３０２は、各アプライアンスの設置されている場所を示す位置情報である。認証中コントローラフィールド３０３には、現時点で該アプライアンスと接続し、通信を行っているコントローラ名が格納される。なお、図は一例であり、アプライアンスをキーとして作成されているが、コントローラをキーに端末位置情報を作成することもできる。
【００５１】
図の例では、アプライアンス「会議端末Ａ」は、「会議室Ａ」に設置され、「コントローラ２」と「コントローラ３」が接続されている。同様に、アプライアンス「会議端末Ｃ」は、「会議室Ｃ」に設定され、「コントローラ１」が接続されている。
【００５２】
このような端末位置情報に基づき、たとえば、「コントローラ１」の位置検出が依頼されると、管理サーバ１０は、認証中コントローラフィールド３０３から「コントローラ１」を検索し、対応するアプライアンス「会議端末Ｃ」と設定場所「会議室Ｃ」を検出する。この結果、「コントローラ１」の利用者は、「会議室Ｃ」に居ることが通知される。
【００５３】
また、逆に、「会議室Ａ」にいるコントローラ（利用者）を検索する場合には、設置場所フィールド３０２から「会議室Ａ」を検索し、対応するアプライアンス「会議端末Ａ」と「ＰＣ−Ａ」を得る。続いて、それぞれのアプライアンスに対応する認証中コントローラが検索され、「会議端末Ａ」には「コントローラ２」と「コントローラ３」が検出される。一方、「ＰＣ−Ａ」には、認証中コントローラがないことがわかる。この結果、「会議室Ａ」には、「コントローラ２」の利用者と「コントローラ３」の利用者が居ることが通知される。
【００５４】
このように、コントローラの利用者の位置が、会議システムの認証方法を利用し、各地点のアプライアンスの接続情報を取得することによって自動的に生成される。このため、新たな位置検出機構などの大規模なシステムを構築する必要がなく、従来の会議システムなどにも容易に適用することができる。
【００５５】
また、コントローラまたはその利用者の位置を検出した場合には、端末位置情報より検索すればよく、コントローラの利用者に負担をかけることもない。
なお、コントローラのローケーショントラッキングは、認証時に生成される情報を履歴情報として蓄積することにより実現することができる。
【図面の簡単な説明】
【００５６】
【図１】実施の形態に適用される発明の概念図である。
【図２】本発明の実施の形態のテレビ会議システムの構成図である。
【図３】本実施の形態の管理サーバのハードウェア構成例を示すブロック図である。
【図４】本実施の形態のコントローラ位置管理動作の概要を示した図である。
【図５】本実施の形態の端末位置情報の一例を示した図である。
【符号の説明】
【００５７】
１・・・携帯端末位置管理装置、２ａ、２ｂ・・・情報処理装置、３ａ、３ｂ・・・無線通信手段、４ａ、４ｂ・・・接続状態通知手段、６ａ、６ｂ・・・携帯端末装置、１１ａ・・・位置情報記憶手段、１１ｂ・・・端末位置情報記憶手段、１１ｃ・・・端末位置履歴記憶手段、１２・・・端末位置情報生成手段、１３・・・端末位置検出手段、１４・・・位置追跡手段
【図１】
2006303684.tif 000003
【図２】
2006303684.tif 000004
【図３】
2006303684.tif 000005
【図４】
2006303684.tif 000006
【図５】
2006303684.tif 000007